(57)【要約】装置は、ハウジング内に、電源とソリッドステート回路とを含む。回路は、同回路が最初は、電流がソリッドステート回路を通って流れることが回避される非アクティブ状態であって、前記装置のオフモードに対応する非アクティブ状態となるように、電源に接続されている。回路はさらに、電流がソリッドステート回路を通って流れることを許容し、それにより前記装置をオンモードに切り替えるアクティブ状態を含み、アクティブ状態は瞬間電圧によってトリガされ、かつ瞬間電圧が取り除かれた後においてもアクティブのままである。
2017538351.tif 000002
【特許請求の範囲】
【請求項１】
電子装置であって、
ハウジングと、
前記ハウジング内に配置された電源と、
前記ハウジング内に配置されるとともに前記電源からの電力を選択的に受承することができるように前記電源に接続されているソリッドステート回路と、を含み、
前記ソリッドステート回路は：
電流が前記ソリッドステート回路を通って流れることが回避される非アクティブ状態であって、前記装置のオフモードに対応する非アクティブ状態と、
電流が前記ソリッドステート回路を通って流れることを許容し、それにより前記装置をオンモードに切り替えるアクティブ状態と、
を有し、
前記アクティブ状態は、前記装置と近接状態にある外部に生成された瞬間的な電磁放射線によってトリガされ、かつ前記瞬間的な電磁放射線が前記装置とはもはや近接状態にはない後においてもアクティブのままである、電子装置。
【請求項２】
前記外部に生成された電磁放射線により前記装置内に瞬間電圧が生成され、前記アクティブ状態は、前記瞬間電圧によりトリガされる、請求項１に記載の装置。
【請求項３】
医療のための装置であって、前記装置は、
電源と、
ソリッドステート回路と、
スイッチ回路と、
前記スイッチ回路が前記電源から前記ソリッドステート回路を通って電流を流すことを回避する非アクティブ状態であって、前記装置のオフモードに対応する非アクティブ状態と、
前記スイッチ回路が前記電源から前記ソリッドステート回路を通って電流を流すことを許容し、それにより前記装置をオンモードに切り替えるアクティブ状態であって、前記装置と近接状態にある外部に生成された瞬間的な電磁放射線によってトリガされるアクティブ状態と、
を含む装置。
【請求項４】
前記装置は、前記瞬間的な電磁放射線が前記装置とはもはや近接状態にない後においてさえもアクティブ状態のままである請求項３に記載の装置。
【請求項５】
前記外部に生成された電磁放射線により前記装置の前記スイッチ回路のノードにて瞬間電圧が生成され、前記アクティブ状態は、前記スイッチ回路の前記ノードでの瞬間電圧の存在によってトリガされる、請求項３に記載の装置。
【請求項６】
前記瞬間的な電磁放射線は、近距離無線通信（ＮＦＣ）デバイスによって前記装置に誘導される、請求項１または３に記載の装置。
【請求項７】
前記近距離無線通信（ＮＦＣ）デバイスは携帯用端末である、請求項６に記載の装置。
【請求項８】
前記携帯用端末は、携帯電話、スマートフォン、パーソナルデジタルアシスタント（ＰＤＡ）及びタブレットからなる群より選択されるハンドヘルド式デバイスである、請求項７に記載の装置。
【請求項９】
前記装置は、ＮＦＣ回路及びスイッチ回路をさらに含み、
前記ＮＦＣ回路は、ＮＦＣ起動回路のＮＦＣ信号と近接状態にあることに応答して信号を生成し、前記信号が前記スイッチ回路に瞬間電圧を誘導し、
前記スイッチ回路における前記瞬間電圧の存在に応答して、前記スイッチ回路は、前記電源から前記ソリッドステート回路を通って電流が流れることを許容する、請求項６に記載の装置。
【請求項１０】
前記電源はバッテリである、請求項１乃至９のいずれか一項に記載の装置。
【請求項１１】
前記装置は、固有識別子（ＩＤ）を有するポイントオブケアデバイスであり、前記ソリッドステート回路は、前記ＩＤを示すデータ信号を出力する、請求項１乃至１０のいずれか一項に記載の装置。
【請求項１２】
前記アクティブ状態において、前記ソリッドステート回路は、較正データ、測定データおよび識別データからなる群より選択されるデータを示す１つ以上の出力信号を生成する、請求項１乃至１１のいずれか一項に記載の装置。
【請求項１３】
前記アクティブ状態において、前記ソリッドステート回路は、測定データを示す１つ以上の出力信号を生成し、
前記測定データは、ヒト免疫不全ウイルス（ＨＩＶ）状態、マラリア状態、栄養状態、神経障害状態、心筋梗塞状態、および／または水分状態の１つ以上についての生物学的診断を含む、請求項１２に記載の装置。
【請求項１４】
前記瞬間電圧は、前記ソリッドステート回路が携帯用端末と近接状態に配置されたときに受承され、前記近接状態は約４センチメートル以下の距離にある状態である、請求項１乃至１３のいずれか一項に記載の装置。
【請求項１５】
最初は非アクティブ状態で存在する電子デバイスを起動させるための方法であって、前記方法は、
瞬間電圧を受承することに応答して、前記電子デバイスをアクティブ状態にするために同電子デバイスの電源を起動することであって、前記電源は前記瞬間電圧の除去とは関係なくアクティブのままである、起動することと、
前記電源の起動に応答して、前記電子デバイスが前記アクティブ状態にされていることを確認するために使用される確認信号を自動的に出力することと、
を含む、方法。
【請求項１６】
前記電子デバイスが、同電子デバイスの固有識別子（ＩＤ）を送信することをさらに含む、請求項１５に記載の方法。
【請求項１７】
較正データ、測定データおよび識別データからなる群より選択されるデータを示す１つ以上の出力信号を、前記電子デバイスを介して出力することをさらに含む、請求項１５または１６に記載の方法。
【請求項１８】
前記電子デバイスが、ヒト免疫不全ウイルス（ＨＩＶ）状態、マラリア状態、栄養状態、神経障害状態、心筋梗塞状態、および水分状態の１つ以上についての生物学的診断を測定することをさらに含む、請求項１７に記載の方法。
【請求項１９】
医療用システムであって、前記医療用システムは、
ハウジング内に封入されるバッテリと回路とを有するポイントオブケア医療デバイスであって、前記医療デバイスは、最初は、前記バッテリからの電力が前記回路を通って流れることを回避される非アクティブなオフ状態である、ポイントオブケア医療デバイスと、
前記医療デバイスとの近接状態にて通信信号を出力する近距離無線通信（ＮＦＣ）起動デバイスと、を含み
前記通信は、前記バッテリからの電力が前記回路を通って流れることを許容する前記医療デバイスのアクティブなオン状態を開始し、前記医療デバイスのオン状態は、前記ＮＦＣ起動デバイスがその後、前記医療デバイスとの近接状態を維持しているかどうかに関わらず、維持される、医療用システム。
【請求項２０】
前記医療デバイスは、同医療デバイスのアクティブなオン状態が開始される前に、前記起動デバイスに自動的に送信される固有識別子（ＩＤ）を有する、請求項１９に記載の医療用システム。
【請求項２１】
前記ＮＦＣ起動デバイスは、携帯電話、スマートフォン、パーソナルデジタルアシスタント（ＰＤＡ）及びタブレットからなる群より選択されるハンドヘルド式デバイスである、請求項１６に記載の医療用システム。
【請求項２２】
前記医療デバイス及び前記ＮＦＣ起動デバイスは、較正データ、測定データおよび識別データからなる群より選択されるデータを通信するように構成される、請求項１９または２０に記載の医療用システム。
【請求項２３】
前記医療デバイス及び前記ＮＦＣ起動デバイスは、測定データを通信するように構成されており、
前記測定データは、ヒト免疫不全ウイルス（ＨＩＶ）状態、マラリア状態、栄養状態、神経障害状態、心筋梗塞状態、および水分状態の１つ以上についての生物学的診断を含む、請求項２０に記載の医療用システム。
【請求項２４】
前記通信された測定データは、前記ＮＦＣ起動デバイス及び外部保存施設の１つ以上に記憶される、請求項２３に記載の医療用システム。
【発明の詳細な説明】
【技術分野】
【０００１】
本発明は、例えば近距離無線通信（ＮＦＣ）対応デバイスなどの起動デバイスと近接状態に配置することによる回路の起動に関する。
【背景技術】
【０００２】
例えばポイントオブケア医療デバイスなどの電子デバイスが小型化および薄型化されるにつれて、電子デバイスに電力を供給するための物理的スイッチは、多くの場合、非実用的である、および／または他の点で望ましくないものとなる。いくつかの解決策が提示されているが、現在の解決策のいずれも十分に良好には機能していない。
【０００３】
例えば、１つの解決策は、電子デバイスを常時待機させることである。この解決策に関連する問題は、ストレージの寿命が制限され、したがって、必要なときに電子デバイスが動作しなくなる可能性があるということである。
【０００４】
別の解決法は、より大きなおよび／または充電可能なバッテリを含むことであった。この解決策に関連する問題は、電子デバイスのコスト、サイズおよび複雑さが増大することである。従って、より嵩高いデバイスの動作に電力を供給するのに必要な電源のサイズのために、既存の医療デバイスは嵩高くなることがある。これは、そのようなより嵩高いデバイスの適用性を制限する可能性がある。バッテリ（または他のエネルギー供給構成要素）のサイズは、多くの既存のデバイスに嵩高さを追加するのみならず、例えば医療デバイスなどのデバイスの構成要素の可能な配置を制限することにもなる。大型電源のコストの結果として、例えば医療デバイスのような既存のデバイスは、製造するのにより費用のかかる可能性が高い。そのような医療デバイスの寸法および／またはコストを低減することは困難であり得る。さらに、より大きなバッテリを備えたそのようなデバイスは、それらのバッテリが消耗されるまで、依然として限られた貯蔵寿命を有する。
【０００５】
さらに別の解決策は、電源ボタンのような物理的スイッチを含むことである。しかしながら、物理的スイッチは、電子デバイスのフォームファクタを損なう可能性があり、動作させるのが困難である可能性がある。
【発明の概要】
【発明が解決しようとする課題】
【０００６】
従って、上記およびその他の問題を解決する電子デバイスの開発が絶えず求められている。
【課題を解決するための手段】
【０００７】
いくつかの実施形態によれば、装置は、ハウジング内に配置された電源とソリッドステート回路とを含む。この回路は電源に接続されており、それにより、回路は、最初は、電流がソリッドステート回路を通って流れることを回避された非アクティブ状態にあり、この非アクティブ状態は装置のオフモードに対応する。回路は、ソリッドステート回路を通って電流を流すことができるアクティブ状態をさらに含み、それにより、装置をオンモードに切り替えることができ、このアクティブ状態は瞬間電圧によってトリガされ、瞬間電圧が除去された後もアクティブな状態のままになる。
【０００８】
いくつかの実施形態によれば、例えばポイントオブケアデバイスなどの電子デバイスは（例えば、電源ボタンの形態の）物理的な電源スイッチを欠いており、その代わりに電気回路の形態である電源スイッチを有している。ポイントオブケアデバイスは最初はオフ状態にて非アクティブであり、その状態においては、バッテリからの電力が電気回路を完全に流れることはない。近距離無線通信（ｎｅａｒ−ｆｉｅｌｄ  ｃｏｍｍｕｎｉｃａｔｉｏｎ）（ＮＦＣ）技術に基づいて、ハンドヘルド式デバイスがポイントオブケアデバイスの近くに配置され、電気回路を起動させる（ａｃｔｉｖａｔｅ）瞬間電圧を生成する。同時に、ハンドヘルド式デバイスは、ポイントオブケアデバイスの固有識別子（ＩＤ）を読み取る。
【０００９】
本発明の概念のいくつかの実施形態によれば、例えば医療ケア用の装置などの電子装置は、ハウジング内に配置された電源とソリッドステート回路とを含む。回路は電源（ｅｌｅｃｔｒｉｃａｌ  ｐｏｗｅｒ  ｓｏｕｒｃｅ）に接続されており、この回路は、最初は、電流がソリッドステート回路を通って流れることを回避された非アクティブ状態にあり、この非アクティブ状態は装置のオフモードに対応する。回路は、ソリッドステート回路を通って電流を流すことができるアクティブ状態をさらに含み、それにより、装置をオンモードに切り替えることができ、このアクティブ状態は瞬間電圧によってトリガされ、瞬間電圧が除去された後もアクティブな状態のままになる。
【００１０】
本発明の概念の別の態様では、方法は、例えば電子医療デバイスなどの電子デバイスであって最初は非アクティブ状態にある電子デバイスを起動することに関する。瞬間電圧の受承に応答して、デバイスの電源（ｐｏｗｅｒ  ｓｏｕｒｃｅ）が起動されてデバイスがアクティブ状態に置かれ、電源は瞬間電圧の除去とは無関係にアクティブな状態のままである。電源を起動することに応答して、起動確認信号（ａｃｔｉｖａｔｉｏｎ  ｃｏｎｆｉｒｍａｔｉｏｎ  ｓｉｇｎａｌ）および／または固有識別子（ＩＤ）データ信号がデバイスによって自動的に出力される。
【００１１】
本発明の概念のさらに別の態様では、医療システムは、ハウジング内に封入されたバッテリと回路とを有するポイントオブケア医療デバイスを含み、医療デバイスは、最初は非アクティブなオフの状態であり、その状態ではバッテリからの電力が回路を流れることが回避される。システムは、医療デバイスとの近接状態にて（ｉｎ  ｃｌｏｓｅ  ｐｒｏｘｉｍｉｔｙ  ｗｉｔｈ）通信信号を出力する近距離無線通信（ＮＦＣ）デバイスをさらに含み、通信は、ＮＦＣ起動デバイスとは独立した医療デバイスのアクティブなオン状態を開始し、その状態ではバッテリからの電力が回路を通って流れることが許容される。
【００１２】
本発明の更なるの態様は、図面を参照してなされる様々な実施形態の詳細な説明を考慮して当業者には明らかであり、図面の簡単な説明は以下に提供される。
本発明は、添付の図面を参照しながら、例示的な実施形態の以下の説明からよりよく理解されるであろう。
【図面の簡単な説明】
【００１３】
【図１】電子デバイスを示す斜視図である。
【図２】電子デバイス上の回路のブロック図である。
【図３Ａ】図１のデバイスのソリッドステートスイッチ回路の一実施形態を示す図である。
【図３Ｂ】図１のデバイスのソリッドステートスイッチ回路の別の実施形態を示す図である。
【図４】ＮＦＣパワーハーベスティング（ｐｏｗｅｒ−ｈａｒｖｅｓｔｉｎｇ）回路のブロック図である。
【図５】ＮＦＣ起動デバイスなどの起動デバイス上の例示的な構成要素のブロック図である。
【図６】Ａ〜Ｄは、電子デバイスの起動プロセスを示す斜視図である。
【図７】Ａ〜Ｅは、電子デバイスおよび起動デバイスが互いに対して近接状態であり、起動デバイスと電子デバイスのパワーハーベスティング回路との間で交換されたデータが所定の条件を満たす場合の電子デバイスの選択的起動のプロセスを示す斜視図である。
【図８】医療デバイスによる患者の状態の測定を示す斜視図である。
【図９】電子デバイスの起動および動作を示すフローチャートである。
【図１０】電子デバイスの起動プロセスの別の例を示すフローチャートである。
【図１１Ａ】リードスイッチを使用するパワーハーベスティング回路およびスイッチ回路の他の例を示す。
【図１１Ｂ】リードスイッチを使用するパワーハーベスティング回路およびスイッチ回路の他の例を示す。
【図１２】太陽電池パワーハーベスティング回路を示す図である。
【図１３】いくつかの実施形態による電子デバイス上の回路のブロック図である。
【図１４Ａ】光電子回路を使用するパワーハーベスティング回路およびスイッチ回路の他の例を示す。
【図１４Ｂ】光電子回路を使用するパワーハーベスティング回路およびスイッチ回路の他の例を示す。
【発明を実施するための形態】
【００１４】
本発明は、特定の例示的な実施形態に関連して説明されるが、本発明はこれらの特定の実施形態に限定されないことが理解される。それどころか、本発明は、添付の特許請求の範囲によって規定される本発明の精神および範囲内に含まれ得るすべての代替物、修正物、および均等物を網羅することが意図される。
【００１５】
次に図面を検討し、最初に図１を参照すると、電子デバイス１００は、ハウジング１０２、回路１０４、バッテリ１０６などの電源、および任意選択の電力インジケータ１０８を含む。いくつかの実施形態によれば、デバイス１００は、ポイントオブケア（ｐｏｉｎｔ−ｏｆ−ｃａｒｅ）医療デバイスである。いくつかの実施形態によれば、回路１０４はソリッドステート回路である。いくつかの実施形態によれば、回路１０４およびバッテリ１０６は、ハウジング１０２内に封入されている。いくつかの実施形態によれば、回路１０４および／またはバッテリ１０６は、ハウジング１０２内に部分的に封入されていてもよく、またはハウジング１０２に取り付けられているか、若しくはハウジング１０２に連結されていてもよい。バッテリ１０６は電気接続部１１０を介して回路１０４と電気的に接続されている。デバイス１００には、物理的な電源スイッチまたはボタンがない。いくつかの実施形態によれば、デバイス１００の電力は、以下でより詳細に説明するように、同デバイス１００が例えば近距離無線通信（ＮＦＣ）デバイスのような起動デバイスと近接状態にあることに応答して自動的にオンにされる。デバイス１００は、同デバイス１００がオフのときにバッテリ１０６からの電力損失を最小にするために、低リーク構成要素（ｌｏｗ  ｌｅａｋａｇｅ  ｃｏｍｐｏｎｅｎｔｓ）を含む。回路１０４は、例えば、デバイス１００がポイントオブケアデバイスである場合に、サンプルの測定値または患者の状態を分析するなど、デバイス１００の動作を容易にするプロセッサ実行可能命令（ファームウェアを含む）を選択的に含む。いくつかの実施形態によれば、デバイス１００は、１つまたは複数のテストセンサ１１２を含む。いくつかの実施形態によれば、デバイスは、そこに記憶されたデバイスＩＤを有するメモリ１１４を備える。
【００１６】
いくつかの実施形態によれば、デバイス１００は、医療分野、特に検査が中央検査室の外で行われるヒトの診断で使用されるポイントオブケア医療デバイスである。ポイントオブケアデバイスは、患者自身が検査を行うことを含め、患者がどこにいても診断検査を行うことができるため、患者のケア効率を向上させる。いくつかの実施形態によれば、ポイントオブケア医療デバイスは、患者に自己健康モニタリングの利便性を提供するのみならず、例えば、ポイントオブケア検査結果をインターネットを介して医療従事者のサイトにアップロードすることによって遠隔医療記録の維持および診断を可能にする。
【００１７】
例えば、ポイントオブケアの医療デバイスのような電子デバイスに関する１つの問題は、オンボード電源の寿命が限られているため、そのようなデバイスに制限された動作寿命を与えることである。さらに、電子デバイスをより小型で安価にするために、バッテリなどの電力源の容量が低減され、そのようなデバイスの動作寿命をさらに低減させている。例えば、いくつかの実施形態によれば、電子デバイス１００は、わずか１５分〜１時間の動作寿命を有するバッテリ１０６を有しているかもしれない。仮にそのようなデバイスが常にオンであるかまたはスタンバイモードであったならば、そのようなデバイスの保管期間は非常に制限されることになる。例えば、そのようなデバイスが米国で製造され、貨物船などによってアフリカに出荷されなければならない場合、そのデバイスはアフリカに到着するまでにバッテリ切れしているか、動作していない可能性がある。なぜならば、オンであるかまたはスタンバイモードにあることによって電力源が放電されてしまうからである。別の例として、デバイス１００がポイントオブケア医療デバイスである場合、そのようなデバイスの十分な供給量を、例えば病院などの医療施設で手元に置いておくことが望ましい場合がある。しかしながら、医療施設で保管中に保持されているそのようなデバイスは、そのデバイスがオンであるかまたはスタンバイモードにて保管場所にて保管されている場合、患者が使用するために取り出したときにはバッテリ切れしているか、動作できない可能性がある。
【００１８】
図２は、デバイス１００上の回路１０４のブロック図である。回路１０４は、電気回路の少なくとも３つのセクションを含む。セクション１０４ａは外部パワーハーベスティング回路である。セクション１０４ｂはスイッチ回路を含む。セクション１０４ｃは、例えば、メモリ、マイクロプロセッサ、および／またはテストセンサなどのデバイス１００上の他の回路を含み、デバイス１００の主要な動作回路とみなすことができる。図３Ａおよび図３Ｂと関連してより詳細に記載されているように、スイッチ回路１０４ｂは、電源１０６が他のまたは主回路１０４ｃに電力を供給することを許可または回避することによってデバイス１００のターンオン（ｔｕｒｎｉｎｇ  ｏｎ）を制御する。いくつかの実施形態によれば、回路１０４ａ、１０４ｂ、および／または１０４ｃの一部または全部は、ソリッドステート回路である。
【００１９】
図３Ａは、スイッチ回路１０４ｂの一実施形態、すなわち、電子デバイス１００のソリッドステートスイッチ回路３０４ａを示す。スイッチ回路３０４ａは、バッテリ１０６とデバイス１００との間の回路を閉じる受動的な第１のトランジスタＭ１を備える。受動的な第１のトランジスタＭ１のソースまたは第１の端子は、第１の抵抗器Ｒ１の一端であるノードＡに接続されている。バッテリまたは電源１０６の一方の端子Ｖｂａｔｔ＋もノードＡに接続されている。バッテリまたは電源１０６の他方の端子Ｖｂａｔｔ−は接地に接続されている。Ｍ１のゲートおよびＲ１の他端はノードＢに接続されている。Ｍ１のドレインまたは第２の端子は、他のまたは主回路１０４ｃのＭａｉｎ  Ｔｕｒｎ−ｏｎ  Ｏｕｔ＋に対応するノードＤに接続されている。
【００２０】
スイッチ回路３０４ａは、第２のトランジスタＭ２と、第２の抵抗器Ｒ２と、第３の抵抗器Ｒ３と、任意選択のダイオードＤ１とをさらに備える。ダイオードＤ１は、パワーハーベスティング回路１０４ａの１０４ａ  Ｖｏｕｔ＋とスイッチ回路３０４ａのノードＣとの間に接続される。第２の抵抗器Ｒ２は、ノードＣとノードＤにおけるトランジスタＭ１のドレインとの間に接続されている。第２のトランジスタＭ２のゲートはノードＣに接続され、第２のトランジスタＭ２のドレインはノードＢにおいて第１のトランジスタＭ１のゲートに接続されている。第２のトランジスタＭ２のソースは、ノードＥに接続され、それは、パワーハーベスティング回路１０４ａの１０４ａＧＮＤと、他のまたは主回路１０４ｃのＭａｉｎ  Ｔｕｒｎ−ｏｎ  Ｏｕｔ−と、接地と、に接続されている。第３の抵抗器Ｒ３は、ノードＣとノードＥとの間に接続されている。
【００２１】
第１の抵抗器Ｒ１は、第１のトランジスタＭ１の閾値電圧Ｖｔｈを下回るノードＡおよびＢの両端の電圧（ＶＧＳ）を維持し、第１のトランジスタＭ１を開いたままにする。
起動デバイスまたは信号がデバイス１００と近接状態になると、起動デバイスの信号はデバイス１００のパワーハーベスティング回路１０４ａに信号を誘導し、信号は、１０４ａ  Ｖｏｕｔ＋にて、瞬間電圧（または電流）などの電圧（または電流）を回路１０４ａに出力させる。１０４ａ  Ｖｏｕｔ＋は、ノードＣで第２のトランジスタＭ２のゲートをハイに引き上げ、ノードＢで第２のトランジスタＭ２のドレインをローにするのに十分である。次に、ノードＢにおいて第１のトランジスタＭ１のゲートがローに引き下げられ、第１のトランジスタＭ１が閉じられ、Ｖｂａｔｔ＋の電圧および電流がＭａｉｎ  Ｔｕｒｎ−ｏｎ  Ｏｕｔ＋に伝達される（ノードＡのバッテリをデバイス１００の他のまたは主回路１０４ｃに接続する）。
【００２２】
第３の抵抗器Ｒ３は、バッテリ電圧が第１のトランジスタＭ１を通過する前に、ノードＣにおける第２のトランジスタＭ２のゲートをローに保つ。トランジスタＭ１が閉じられると、第２の抵抗器Ｒ２は、第２のトランジスタＭ２をオンにラッチする（ｌａｔｃｈ）のに役立つ。一例によれば、第１の抵抗器Ｒ１は１ＭΩの抵抗を有し、第２の抵抗器Ｒ２は１ＭΩの抵抗を有し、第３の抵抗器Ｒ３は１０ＭΩの抵抗を有する。
【００２３】
いくつかの実施形態によれば、スイッチ回路３０４ａは、任意選択的に、ノードＣとノードＥとの間に接続されたコンデンサＣ１を含む。
図３Ｂは、スイッチ回路１０４ｂの別の実施形態、すなわちデバイス１００のソリッドステートスイッチ回路３０４ｂを示す。ソリッドステート回路３０４ｂは、バッテリ１０６が最初に他のまたは主回路１０４ｃから電気的に切り離され、それにより、電力がデバイス１００の他のまたは主回路１０４ｃをターンオンするのを回避する別の実施形態を示す。スイッチ回路３０４ｂは、受動的な第１のトランジスタＭ３と、第２のトランジスタＭ４と、第１の抵抗器Ｒ４と、第２の抵抗器Ｒ５と、第３の抵抗器Ｒ６と、任意選択のダイオードＤ２と、任意選択的にコンデンサＣ２とを含む。
【００２４】
バッテリ１０６の一方の端子は接地に接続され、他方の端子はノードＦに接続される。第１のトランジスタＭ３は、ノードＧに接続されたゲート、ノードＦに接続されたソース、およびノードＫに接続されたドレインを有する。第１の抵抗器Ｒ４はノードＦとＧとの間に接続される。
【００２５】
任意選択のダイオードＤ２は、パワーハーベスティング回路１０４ａの１０４ａ  Ｖｏｕｔ＋とスイッチ回路３０４ｂのノードＨとの間に接続される。第２の抵抗器Ｒ５は、ノードＨとノードＪとの間に接続され、ノードＪはパワーハーベスティング回路１０４ａの１０４ａＧＮＤと他のまたは主回路１０４ｃのＭａｉｎ  Ｔｕｒｎ−ｏｎ  Ｏｕｔ−とに接続される。同様に、いくつかの実施形態によれば、コンデンサＣ２は、ノードＨとノードＪとの間に接続される。
【００２６】
第２のトランジスタＭ４のゲートは、ノードＨにも接続されている。第２のトランジスタＭ４のドレインは、ノードＧおよび第１のトランジスタＭ３のゲートに接続されている。第２のトランジスタＭ４のソースは、接地に接続されたノードＪに接続されている。第３の抵抗器Ｒ６は、ノードＨとノードＫとの間に接続されている。
【００２７】
起動デバイスがデバイス１００と近接状態になると、起動デバイスの信号はデバイス１００のパワーハーベスティング回路１０４ａに信号を誘導し、信号は、１０４ａ  Ｖｏｕｔ＋にて、瞬間電圧などの電圧をパワーハーベスティング回路１０４ａに出力させる。１０４ａ  Ｖｏｕｔ＋は、ノードＨにて第２のトランジスタＭ４のゲートをハイにし、ノードＧにて第２のトランジスタＭ４のドレインをローにするのに十分である。次に、ノードＧにおける第１のトランジスタＭ３のゲートがローに引き下げられ、第１のトランジスタＭ３が閉じられ、それによりＶｂａｔｔ＋の電圧および電流がＭａｉｎ  Ｔｕｒｎ−ｏｎ  Ｏｕｔ＋に伝達される（ノードＦのバッテリを、ノードＫにおいてデバイス１００の他のまたは主回路１０４ｃに接続する）。
【００２８】
スイッチ３０４ｂは、任意選択的にコンデンサＣ２を含み、１０４ａ  Ｖｏｕｔ＋から１０４ａ  ＧＮＤまでの低インピーダンス経路を提供する。しかしながら、スイッチ回路３０４ａと同様に、起動信号によりソリッドステート主回路１０４ｃがオンにされる。第３の抵抗器Ｒ６は、バッテリ電圧が第１のトランジスタＭ３を通過した後、ノードＨの第２のトランジスタＭ４のゲートをハイに保つ。したがって、第３の抵抗器Ｒ６は、第２のトランジスタＭ４をオンにラッチする働きをする。いくつかの実施形態によれば、スイッチ回路３０４ｂの抵抗器Ｒ４、Ｒ５、およびＲ６は、スイッチ回路３０４ａの抵抗器Ｒ１、Ｒ３およびＲ２にそれぞれ対応し、同じ値を有する。
【００２９】
次に図４について、いくつかの実施形態によれば、パワーハーベスティング回路１０４ａは、ＮＦＣチップ４０８のようなＮＦＣパワーハーベスティング回路４０４ａであり、ＮＦＣ起動デバイスの近くに位置することに応答してターンオン信号を生成するためのアンテナ４１０のような回路を含む。いくつかの実施形態によれば、ＮＦＣ回路はアンテナ４１０およびＮＦＣトランシーバＩＣ４２０を含む。加えて、いくつかの実施形態によれば、ＮＦＣ回路またはチップは、それ自体の不揮発性メモリ４３０を有する。いくつかの実施形態によれば、メモリ４３０は、１つまたは複数のレジスタおよび／または他の不揮発性メモリを含む。
【００３０】
図３Ａに関して、ＮＦＣ起動デバイスが、回路４０４ａのようなＮＦＣパワーハーベスティング回路を含むデバイス１００と近接状態になると、ＮＦＣ起動デバイスの信号は、デバイス１００のＮＦＣパワーハーベスティング回路４０４ａに信号を誘導し、同信号は、１０４ａ  Ｖｏｕｔ＋にて、瞬間電圧などの電圧をＮＦＣ集積回路（ＩＣ）４２０に出力させる。１０４ａ  Ｖｏｕｔ＋は、ノードＣで第２のトランジスタＭ２のゲートをハイに引き上げ、ノードＢで第２のトランジスタＭ２のドレインをローにするのに十分である。次に、ノードＢにて第１のトランジスタＭ１のゲートがローに引き下げられ、第１のトランジスタＭ１が閉じられ、それによりＶｂａｔｔ＋の電圧および電流がＭａｉｎ  Ｔｕｒｎ−ｏｎ  Ｏｕｔ＋に伝達される（ノードＡのバッテリとデバイス１００の他の回路１０４ｃとを接続する）。
【００３１】
図３Ｂに関して、ＮＦＣ起動デバイスが、回路４０４ａのようなＮＦＣパワーハーベスティング回路を含むデバイス１００と近接状態になると、ＮＦＣ起動デバイスの信号は、デバイス１００のＮＦＣパワーハーベスティング回路４０４ａに信号を誘導し、同信号は、１０４ａ  Ｖｏｕｔ＋にて、瞬間電圧などの電圧をＮＦＣ集積回路（ＩＣ）４２０に出力させる。１０４ａ  Ｖｏｕｔ＋は、ノードＨにて第２のトランジスタＭ４のゲートをハイにし、ノードＧにて第２のトランジスタＭ４のドレインをローにするのに十分である。次に、ノードＧにて第１のトランジスタＭ３のゲートがローに引き下げられ、第１のトランジスタＭ３が閉じられ、それによりＶｂａｔｔ＋の電圧および電流がＭａｉｎ  Ｔｕｒｎ−ｏｎ  Ｏｕｔ＋に伝達される（ノードＦのバッテリとノードＫでのデバイス１００の他の回路１０４ｃとを接続する）。
【００３２】
代替的な実施形態では、パワーハーベスティング回路１０４ａは、ＮＦＣパワーハーベスティング回路４０４ａの代わりに、またはＮＦＣパワーハーベスティング回路４０４ａに加えて、磁気検出回路などの電磁放射線検出回路、光検出器のような光検出回路、熱および／または低温によって起動され得る熱検出器のうちの１つまたは複数を含む。
【００３３】
例えば、いくつかの実施形態によれば、回路１０４ａおよび１０４ｂは、磁石が装置１００と近接状態にあることに応答して、通常は開いた状態にあるが、閉じた状態に移動されるリードスイッチを含む。リードスイッチが閉じられると、バッテリ１０６からの電力が主回路１０４ｃを通って流れ、バッテリ１０６からの電力が装置をオン状態またはアクティブ状態に維持する。例えば、図３Ａおよび図３Ｂに示されるスイッチ回路３０４ａ、３０４ｂに関連して使用される場合、スイッチ回路３０４ａ、３０４ｂはラッチとして機能する。スイッチ回路３０４ａ、３０４ｂは、Ｍ２（ノードＣ）のゲートまたはＭ４（ノードＨ）のゲートで信号がハイになると、バッテリと測定または主回路１０４ｃの残りとの間の接続を閉じ、ＯＮ状態にてラッチする。したがって、信号がノードＣまたはＨで除去されるとき（磁石がもはやデバイス１００の近くにないときなど）、接続は依然として維持される。いくつかの実施形態によれば、ラッチ状態またはオン状態のスイッチ３０４ａ、３０４ｂの維持は、バッテリ１０６を使用してノードＣまたはノードＨのゲートをハイに保つことによって達成される。
【００３４】
図５はＮＦＣ起動デバイス５００の例示的な構成要素のブロック図である。いくつかの実施形態によれば、ＮＦＣ起動デバイス５００は、プロセッサ５１２に通信可能に接続されたＮＦＣ回路５１０と、プロセッサ５１２に通信可能に接続されたメモリ５１４とを含む。ＮＦＣ回路５１０はアンテナを含む。ＮＦＣ回路５１０は、デバイス１００のＮＦＣ回路１０４ａに信号を誘導するＲＦ信号などの信号を生成することができる。当業者であれば分かるように、ＮＦＣ回路５１０を使用して、デバイス１００などの別のＮＦＣ起動デバイスに、データを無線で送信し、かつデータを無線で受信する。
【００３５】
図６Ａ〜図６Ｄを参照すると、デバイス１００の起動は、デバイス１００およびＮＦＣ起動デバイス５００が互いに対して近接状態となったときに達成される。例えば、図６Ａにおいて、デバイス１００およびＮＦＣ起動デバイス５００は、デバイス１００の近くにＮＦＣ起動デバイス５００を移動させることによって、またはその逆にて、或いは両方のデバイス１００および５００を移動させることによって、互いに対して近接状態となるように動かされる。図示された実施形態では、ＮＦＣ起動デバイス５００は、スマートフォンまたは携帯電話の形態であるが、以下で説明するように、ＮＦＣ起動デバイスのための他の形態もまた企図される。
【００３６】
いくつかの実施形態によれば、デバイス１００は、任意選択的に、ＮＦＣ起動デバイス５００と近接状態となる前に、滅菌パッケージから最初に取り出される。いくつかの実施形態によれば、デバイス１００とＮＦＣ起動デバイス５００との間の距離は、デバイス１００とＮＦＣ起動デバイス５００とが互いに接触しているゼロから約２０センチメートル（または約８インチ）の最大距離までの範囲である。一例として、１つの実用的な操作距離は約４センチメートル（または約１．５インチ）以下である。
【００３７】
ＮＦＣ起動デバイス５００は、無線通信などのＮＦＣ通信６０２を出力し、パワーハーベスティング回路４０４ａをパワーアップし（ｐｏｗｅｒ  ｕｐ）、これは、バッテリ１０６とソリッドステート回路１０４ｃとの間の電気接続を完了するのを助ける。したがって、いくつかの実施形態によれば、ＮＦＣ起動デバイス５００をデバイス１００と近接状態にすることにより、無線周波数（ＲＦ）送信／誘導接続によってデバイス１００を起動させる。例えば、いくつかの実施形態によれば、ＮＦＣ通信６０２は、（例えば、スイッチ回路３０４ａのノードＣにて、またはスイッチ回路３０４ｂのノードＨにて）瞬間電圧を誘発し、スイッチ回路１０４ｂを起動し、電力を有効にして、電源１０６から回路１０４ｃの主部分または残りの部分に流すことによって、デバイス１００を起動するか、またはターンオンする。
【００３８】
図６Ｂに示すように、デバイス１００は、ここで、オンに切り替えられ、デバイス１００のＮＦＣパワーハーベスティング回路４０４ａなどを介して、それ自体のＮＦＣ通信６０４を出力する。いくつかの実施形態によれば、デバイス１００のアクティブなオン状態は、任意選択的に、（例えば、点灯するライトを介して）電力インジケータ１０８によって視覚的に示される。
【００３９】
図６Ｃに示すように、デバイス１００とＮＦＣ起動デバイス５００は、１つ以上のデータ信号６０６、６０８を互いに対して交換することができる。例えば、いくつかの実施形態によれば、デバイス１００は、固有の識別子（ＩＤ）および／または例えばメモリ４３０に記憶された他のデータなどをＮＦＣ起動デバイス５００に送信する。固有の識別子（ＩＤ）および／または他のデータを受信すると、ＮＦＣ起動デバイス５００は、受信されたＩＤおよび／または他のデータが、本開示の他の場所に記載されているように、許容可能であるか満足できるかを検証および／または確認する。いくつかの実施形態によれば、ＮＦＣ起動デバイス５００は、デバイス１００の受信したＩＤを、ＮＦＣ起動デバイス５００のメモリ５１４に記憶された患者記録とリンクさせる。ＩＤに加えて、またはそのＩＤの代わりに、デバイス１００および携帯電話のようなＮＦＣ起動デバイス５００は、他の識別情報を交換することができる。健康記録のような患者記録は、任意選択的に、ＮＦＣ起動デバイス５００のメモリ５１４に記憶される。いくつかの実施形態によれば、デバイス１００は、患者または個人に関連付けられ、ＮＦＣ起動デバイス５００は、患者の臨床家のスマートフォンなどの患者の臨床家によって使用されるデバイスである。
【００４０】
デバイス１００のＩＤと患者記録とをリンクさせる１つの利点は、測定結果および関連する収集データが正しい患者に関連付けられることを保証することである。したがって、ＩＤ患者記録リンクに基づいてデータの完全性が保証される。
【００４１】
任意選択的に、デバイス１００およびＮＦＣ起動デバイス５００は、デバイス１００の較正および／またはデバイス１００によって実行される測定に関連するデータも転送する。測定には、ヒト免疫不全ウイルス（ＨＩＶ）状態、マラリア状態、栄養状態、神経障害状態、心筋梗塞（ｃａｒｄｉａｃ  ｉｎｆｒａｃｔｉｏｎ）状態、および／または水分状態についての生物学的診断の取得を含む。
【００４２】
図６Ｄに示すように、デバイス１００は、もはや携帯電話５００とは近接状態にない。それにもかかわらず、デバイス１００は、ＮＦＣ５００の相対的な位置または近接状態とは無関係にオン状態を維持し続ける。
【００４３】
いくつかの実施形態によれば、近接性のみで、起動デバイス５００とＮＦＣパワーハーベスティング回路４０４ａとの間の通信が確立されるが、必ずしもスイッチ回路１０４ｂを起動したり、デバイス１００をオンにする必要はない。スイッチ回路１０４ｂを起動させるためには更なる通信が必要かもしれない。例えば、図７Ａ〜図７Ｄを参照すると、デバイス１００の起動は、デバイス１００とＮＦＣ起動デバイス５００とが互いに対して近接状態にあり、ＮＦＣ起動デバイス５００とパワーハーベスティング回路４０４ａとの間で交換されるデータが所定の基準を満たす場合に選択的に達成される。
【００４４】
図７Ａにおいて、デバイス１００およびＮＦＣ起動デバイス５００は、デバイス１００の近くにＮＦＣ起動デバイス５００を移動させることによって、またはその逆にて、または両方のデバイス１００および５００が移動される場合などのように、互いに対して近接状態となるように動かされる。図示された実施形態では、ＮＦＣ起動デバイス５００は、スマートフォンまたは携帯電話の形態であるが、以下で説明するように、ＮＦＣ起動デバイスのための他の形態もまた企図される。
【００４５】
いくつかの実施形態によれば、デバイス１００は、任意選択的に、ＮＦＣ起動デバイス５００と近接状態になる前に、滅菌パッケージから最初に取り出される。いくつかの実施形態によれば、デバイス１００とＮＦＣ起動デバイス５００との間の距離は、デバイス１００とＮＦＣ起動デバイス５００とが互いに接触しているゼロから約２０センチメートル（または約８インチ）の最大距離までの範囲である。一例として、１つの実用的な操作距離は約４センチメートル（または約１．５インチ）以下である。
【００４６】
ＮＦＣ起動デバイス５００は、無線通信などのＮＦＣ通信７０２を出力して、ＮＦＣチップ４０８などのパワーハーベスティング回路４０４ａをパワーアップする。したがって、いくつかの実施形態によれば、ＮＦＣ起動デバイス５００をデバイス１００と近接状態とすることによっては、無線周波数（ＲＦ）送信／誘導接続によってパワーハーベスティング回路４０４ａを起動させる。
【００４７】
図７Ｂに示すように、デバイス１００のＮＦＣパワーハーベスティング回路４０４ａは、アンテナ４１０を介してデバイス１００のＮＦＣパワーハーベスティング回路４０４ａを介してなど、それ自体のＮＦＣ通信７０４を出力する。
【００４８】
図７Ｃに示すように、デバイス１００のＮＦＣパワーハーベスティング回路４０４ａおよびＮＦＣ起動デバイス５００は、１つまたは複数のデータ信号７０６、７０８を互いに対して交換することができる。例えば、いくつかの実施形態によれば、ＮＦＣパワーハーベスティング回路４０４ａは、固有の識別子（ＩＤ）および／または例えばメモリ４３０に記憶された他のデータをＮＦＣ起動デバイス５００に送信する。固有の識別子（ＩＤ）を受信すると、ＮＦＣ起動デバイス５００は、受信したＩＤおよび／または他のデータが本開示の他の場所に記載されたように（例えば、デバイス１００は起動デバイス５００が探しているＩＤを有するおよび／またはデバイス１００は乳がん検査デバイスと対照的なものとして栄養不良検査デバイスである（またはその逆である）など、起動デバイスによって所望されるデバイスのタイプであるか、など）許容可能であるか満足できるかを検証および／または確認する。
【００４９】
図７Ｃに関連して上述したデータの交換は、スイッチ回路１０４ｂを起動させる前に、或いはデバイス１００の主回路１０４ｃの出力をオンにする前に、すべて行うことができる。従って、この通信の結果は、デバイス５００によって使用され、電力を有効にして、電源１０６から主回路または回路１０４ｃの残りに流れることによってデバイス１００を起動させるか、またはオンにするかを決定することができる。
【００５０】
このような実施形態によれば、データ信号７０６および７０８は、デバイス５００からのデータ要求およびＮＦＣパワーハーベスティング回路４０４ａからの応答を含み、この応答は他のデータに加えて固有の識別子（ＩＤ）を含むことができる。したがって、デバイス５００およびパワーハーベスティング回路１０４ａは、デバイス１００がパワーオンされる前に、信号７０６および７０８を交換することができる。この交換は、デバイス１００（パワーハーベスティング回路１０４ａ）から起動デバイス５００へのデバイス１００の固有ＩＤ、デバイス１００のタイプを特定するための他の情報などを通信することができる。次に、デバイス５００は、この受信データを処理する。
【００５１】
次に、図７Ｄにおいて、デバイス５００がデバイス１００を起動することを選択すると、ＮＦＣ起動デバイス５００は、デバイス５００からの起動信号を表すターンオンデータ信号７１０を送信する。この時点で、パワーハーベスティング回路４０４ａはスイッチ回路１０４ｂを起動し、回路１０４ｃの主部分又は残りの部分をターンオンする。この起動状態を示すＬＥＤ１０８は任意選択である。
【００５２】
例えば、いくつかの実施形態によれば、ＮＦＣ起動回路４０４ａは、（スイッチ回路３０４ａのノードＣまたはスイッチ回路３０４ｂのノードＨなどの）瞬間電圧を誘導し、スイッチ回路１０４ｂを起動し、電力を有効にして、電源１０６から回路１０４ｃの主部分または残りの部分に流すことによって、デバイス１００を起動するか、またはターンオンする。図７Ｄに示されているように、デバイス１００はここでオンに切り替えられ、デバイス１００のＮＦＣパワーハーベスティング回路４０４ａを介してなどそれ自体のＮＦＣ通信７０４を出力する。いくつかの実施形態によれば、デバイス１００のアクティブなオン状態は、任意選択的に、（例えば、点灯するライトを介して）電力インジケータ１０８によって視覚的に示される。
【００５３】
デバイス１００は、任意的に、デバイス１００が実際にターンオンにされたことを確認する確認信号７１２を起動デバイス５００に送信することができる。
したがって、いくつかの実施形態によれば、ＮＦＣ起動によって、起動デバイス５００（例えば、携帯電話）とＮＦＣチップ４０８との間で通信が確立される。ＮＦＣチップ４０８は、メモリ４３０などのそれ自体の不揮発性メモリを有する。ＮＦＣチップ４０８は、起動デバイス５００から電力を受け取るが、そうするように指示されるまで、回路１０４ｃの残りの部分をオンにする信号７０６を送信しない。これが起こる前に、起動デバイス５００は、例えば、チップのメモリ４３０に記憶されたデータを読み取るためにＮＦＣチップ４０８に問い合わせることができる。このデータは、とりわけ、ＮＦＣチップ４０８に接続された回路１０４ｃまたはデバイス１００のタイプに関する情報、例えば、それが心拍数モニタ、血糖測定器などであるかどうかについての情報を含む。この情報および他の情報に基づいて、起動デバイス５００は、ターンオン信号を送信して、デバイス１００のスイッチ回路１０４ｂを起動させる前に、現在通信しているデバイス１００が、オンにすることを予定しているデバイスまたは期待しているデバイスのタイプであるかどうかを判定することができる。例えば、起動デバイス５００が、例えば（例えば、心拍数を記録するためのなど）心拍情報を受信することを現在望む場合、起動デバイス５００は、ＮＦＣチップ４０８が、デバイス１００が血糖測定デバイスであったことを示すデータ７０８を送信した場合に、起動信号またはターンオン信号７１０を送信しないであろう。ＮＦＣ起動デバイス５００は、各ＮＦＣチップに符号化された固有のＩＤを記録して、それをそのＩＤのデータベースと比較して、デバイスが以前に使用されたかどうかを判断するなどの他の情報も調べることができる。例えば、起動デバイス５００がデバイス１００から心拍情報を読み取ることを所望していて、現在通信可能に接続されたデバイス１００が心拍監視デバイスであったデータを送信したが、以前に起動されていないかまたはターンオンされていなかった場合、起動デバイス５００は、現在のデバイス１００にそのようなデータが記憶されていないことを知るので、起動デバイス５００は、起動信号またはターンオン信号７１０を送信しないであろう。このようなターンオン信号７１０の制御された、または選択的な送信の１つの利点は、デバイス１００が不注意にかつ所望とせずターンオンにされてそれらの電源１０６を使い果たしてしまうこととならないことである。したがって、例えば、ＮＦＣ起動デバイス５００は、複数のデバイス１００の近くを単に通過させるだけで、複数のデバイス１００を不注意にターンオンさせないように制御され得る。
【００５４】
いくつかの実施形態によれば、ＮＦＣ起動デバイス５００は、デバイス１００の受信したＩＤを、ＮＦＣ起動デバイス５００のメモリ５１４に記憶された患者記録にリンクさせる。ＩＤに加えて、またはＩＤの代わりに、デバイス１００および携帯電話のようなＮＦＣ起動デバイス５００は、他の識別情報を交換することができる。健康記録のような患者記録は、任意選択的に、ＮＦＣ起動デバイス５００のメモリ５１４に記憶される。いくつかの実施形態によれば、デバイス１００は、患者または個人に関連付けられ、ＮＦＣ起動デバイス５００は、患者の臨床家のスマートフォンなどの患者の臨床家によって使用されるデバイスである。
【００５５】
デバイス１００のＩＤと患者記録とをリンクさせる１つの利点は、測定結果および関連する収集データが正しい患者に関連付けられることを保証することである。したがって、ＩＤ患者記録リンクに基づいてデータの完全性が保証される。
【００５６】
任意選択的に、デバイス１００およびＮＦＣ起動デバイス５００は、デバイス１００の較正および／またはデバイス１００によって実行される測定に関連するデータも転送する。測定には、ヒト免疫不全ウイルス（ＨＩＶ）状態、マラリア状態、栄養状態、神経障害状態、心筋梗塞状態、および／または水分状態についての生物学的診断の取得を含む。
【００５７】
図７Ｅに示すように、デバイス１００は、もはや携帯電話５００とは近接状態にない。それにもかかわらず、デバイス１００は、ＮＦＣ５００の相対的な位置または近接性とは無関係にオン状態を維持し続ける。
【００５８】
いくつかの実施形態によれば、図７Ａ〜図７Ｅ（および図６Ａ〜６Ｄ）において、起動デバイス５００のディスプレイ上の「Ｘ」は、デバイス１００がまだ起動されていないとデバイス５００が信じていることを示し、「Ｖ」は、デバイス１００が起動されたとデバイス５００が考えていることを示す。デバイス５００のディスプレイ上の適切なメッセージ（「Ｘ」または「Ｖ」など）の表示は任意選択である。
【００５９】
いくつかの実施形態によれば、デバイス１００が起動されたことをデバイス５００が判断できる２つの方法がある。第１の方法によれば、デバイス５００は、ターンオンデータ信号７１０または起動信号を送信して、デバイス１００によって起動信号が受信された場合、デバイス１００が実際に起動され、正しく動作していると仮定する。
【００６０】
第２の方法によれば、起動信号７１０を送信した後、デバイス５００は、例えば、確認信号７１２などのような、デバイス１００が起動された確認信号をデバイス１００から明示的に要求する。デバイス５００によるこの確認の受信は、起動が成功したことを確認するためにデバイス５００によって使用される。例えば、いくつかの実施形態によれば、起動時に、デバイス１００は、メモリ４３０内の特定のメモリ位置の値を変更することができる。デバイス５００は、デバイス１００が成功裏に起動されたことを確認するために、起動信号を送信する前及び後のその値を読み取ることができる（例えば、デバイス１００がそのような値をデバイス５００に送信することを要求することなどにより）。このアプローチの利点は、デバイス１００が起動されたという独立した検証を提供することである。例えば、任意選択的なインジケータ１０８が存在しない場合、この検証は、起動が成功したことを検証するための主要な方法として機能し得る。この第２のアプローチは図６及び７の両方に適用可能であることを明記したい。いくつかの実施形態によれば、デバイス１００が起動前にデバイス５００によって検証されているかどうかにかかわらず、デバイス１００自体の起動は、その後、デバイス５００によって検証することができる。
【００６１】
図８を参照すると、デバイス１００は、例えば、患者などのユーザについてのデータを測定するために使用される。例えば、ユーザの指８０２からの血液小滴８００がデバイス１００のセンサ１１２上に置かれる。デバイス１００は、ユーザ／患者に関連する測定値または他のデータを決定するために１つまたは複数の分析タスクを実行することができる。ＮＦＣ起動デバイス５００がデバイス１００に対して近接状態に配置されると、分析タスクの結果などのデータはＮＦＣ起動デバイス５００に無線で送信され、ＮＦＣ起動デバイス５００のメモリ５１４に記録または記憶される。ＮＦＣ通信６０２、６０４、７０２、７０４などを介して、デバイス１００とＮＦＣ起動デバイス５００との間で通信されるデータ信号８１０、８１２は、分析を完了するために必要な任意のデータ交換を容易にする。
【００６２】
血液小滴８００のようなサンプルの分析からの定量的情報は、例えば、グルコースレベルを決定するため、またはデバイス１００の使用者のための疾患（例えばマラリア、ＨＩＶなど）を診断するために使用され得る。例えば血液小滴８００のような（ただしこれに限定されない）サンプルが試験用プラットフォームまたはセンサ１１２上に置かれたとき、予め配置されたアッセイを使用して、例えば、サンプルの色およびアッセイの組み合わせを決定するために、１つ以上の光センサと併用して、サンプルを分析することができる。非限定的な例として、本明細書において、他の回路１０４ｃと関連して説明される例示的な測定デバイスに基づく測定プラットフォームは、サンプルの少なくとも１つの成分を示すデータまたは他の情報を提供するように構成され得る。一例では、データまたは他の情報は、デバイス１００のメモリ１１４および／またはＮＦＣパワーハーベスティング回路４０４ａのメモリ４３０に記憶することができるか、あるいは無線で送信することができる。別の例では、本明細書において、他の回路１０４ｃと関連して説明される例示的な測定デバイスに基づく測定プラットフォーム／センサ１１２は、色表示、記号、および／またはデジタル読み出しの変化のような（限定するものではないが）定量的測定からのデータまたは他の情報の表示を提供するように構成することができる。
【００６３】
任意選択的に、ＮＦＣ起動デバイス５００上のメモリ５１４によって受信された、および／または同メモリ５１４に記憶されたデータは、記憶および／または追加の分析のために、患者管理施設などの外部データ記憶装置８０４にさらに伝達される。外部データ記憶装置８０４は、例えば、ネットワーク、サーバ、またはクラウドデータベース、および／またはデータを記憶するためのメモリを有する任意の他の外部装置を含むことができる。データ信号８０６、８０８は、ＮＦＣ起動デバイス５００と外部データ記憶装置８０４との間のデータ交換を容易にする。データ信号８０６、８０８は、例えば、セルラ方式、Ｗｉ−Ｆｉ、ＲＦ通信、通信Ｂｌｕｅｔｏｏｔｈ（登録商標）、ＮＦＣおよび／または赤外線または非赤外線発光ダイオード（ＬＥＤ）信号を含むことができる。
【００６４】
デバイス１００によって測定または生成されたデータは、選択的に１つまたは複数の起動デバイス５００に送信することができる。いくつかの実施形態によれば、デバイス１００は、例えば主回路１０４ｃおよび／またはパワーハーベスティング回路１０４ａを介して、データが収集され、生成され、記憶され、かつ／または、起動デバイス５００によって読み出されたときにメモリ１１４、４３０に記録し、そのようなデータを起動デバイス５００に送信することができる。
【００６５】
いくつかの実施形態によれば、デバイス１００の電源がオンになると、回路１０４ｃの主部分または残りの部分によって取り出されたデータまたは生成されたデータは、ＮＦＣパワーハーベスティング回路４０４ａの不揮発性メモリ４３０に記憶される。このような実施形態によれば、他の回路１０４ｃは、メモリ４３０に通信可能に接続され、そのようなデータがメモリ４３０に記憶され得る。このような実施形態は、電源１０６が失われて主回路１０４ｃ（任意選択的に、例えばメモリ１１４を含む）がもはや動作可能ではない後においてさえもパワーハーベスティング回路４０４ａ内のメモリ４３０からデータを読み出すことを可能にするという利点を有する。そのような実施形態によれば、たとえデバイス１００にもはや電力が供給されなくて、（例えば、バッテリ１０６が切れているために）再度電源を入れることが不可能でも、デバイス１００と起動デバイス５００とを互いに対して近接状態に配置させることによって依然としてデータをメモリ４３０から読み出すことができる。起動デバイス５００がデバイス１００と近接状態にある場合、ＮＦＣパワーハーベスティング回路４０４ａの電源はオンになり、ＮＦＣチップ４０８のような回路４０４ａがメモリ４３０に記憶されたデータを起動デバイス５００に、例えば信号６０４または７０４を介して送信することができる。
【００６６】
デバイス１００の１つの利点は、以前のデバイスで別々に実行していた２つの異なるアクションを、以前のデバイスより容易で、高速で、かつ信頼性の高い単一のアクションに組み合わせることができることである。より具体的には、デバイス１００は、（ａ）オンにされ、（ｂ）デバイス１００のＩＤおよび／または他のデータは、単に適切な起動デバイス５００を適切な電子デバイスの近くに持って来るだけで、起動デバイスと共有することができ、電子デバイス１００上の任意のボタンまたはスイッチを、押し下げるまたは選択する必要はない。したがって、従来のデバイスにおける典型的な別個の「ターンオン（ｔｕｒｎ−ＯＮ）」ステップは、デバイス１００を用いることによって排除される。
【００６７】
デバイス１００のさらに別の利点は、回路１０４が携帯電話のようなＮＦＣ起動デバイス５００のＮＦＣ出力電力を利用してバッテリ１０６への回路スイッチを閉じ、回路１０４ｃの残りの部分をバッテリ１０６に接続し、携帯電話５００が取り外された後であっても、デバイス１００が動作を継続することを可能にする点にある。
【００６８】
いくつかの実施形態によれば、デバイス１００のさらに別の利点は、物理的な電源ボタンがないことである。したがって、いくつかの実施形態によれば、デバイス１００は、物理的な電源ボタンが必要な場合に可能な場合よりも小さく、かつ／またはより薄いサイズで製造することができる。
【００６９】
いくつかの実施形態によれば、デバイス１００のさらに別の利点は、より長いバッテリ寿命を可能にすることであるか、またはより小さいバッテリ（プライマリセルを使用する場合）を可能にすることである。バッテリは、起動するまで回路から切り離されているため、バッテリ寿命は実際に必要になるまで保持される。
【００７０】
いくつかの実施形態によれば、デバイス１００のさらに他の利点は、長期間の保管および医療デバイス１００の長期間の在庫を可能にすることである。次に、これらの利点は、デバイス１００の保管に関連する費用をより少なくする。
【００７１】
いくつかの実施形態によれば、デバイス１００のさらに別の利点は、デバイス１００が適切に動作していることをユーザに示す、ターンオンのソフトウェア検証を可能にすることである。例えば、電力インジケータ１０８は、デバイス１００がオンであることをユーザに視覚的に示す。
【００７２】
図９を参照すると、フローチャートは、例えば医療デバイスであってもよいデバイス１００のような電子デバイスを作動させるプロセスの別の例を示す。最初に、９００において、電子デバイスは、電力がアクティブでない（すなわち、デバイス１００がオフである）初期非アクティブ状態にあり、電源１０６からの電力がデバイス１００の主回路または他の回路１０４ｃを駆動していない。デバイス１００およびＮＦＣ起動デバイス５００などのＮＦＣ起動デバイスは、９０２において、互いに比較的近接した状態に配置され、それに応答して、例えば、電源１０６からの電力が、デバイス１００の主回路または他の回路１０４ｃを駆動するなど、９０４において電源が起動される。いくつかの実施形態によれば、ステップ９０２または９０４のアクションに応答して、医療デバイスのＩＤが、デバイス１００によってＮＦＣ起動デバイスに自動的に送信され、９０６にてＮＦＣ起動デバイスによって認証され得る。９０８において、ＮＦＣ起動デバイスおよびデバイス１００は、ＮＦＣ起動デバイスをデバイス１００との近接状態から移動させる場合（またはその逆の場合）などによって、互いに近接した状態から移動させてもよい。その後、９１０において、デバイス１００は、ＮＦＣ起動デバイスとの相対的な近接性または遠隔性とは関係なく自立的に動作し続ける。いくつかの実施形態によれば、デバイスとＮＦＣ起動デバイスを互いに対して近接状態にて配置することによって、または両デバイスがステップ９０８で互いに離れていなかった場合には、９１２で２つのデバイス間で追加のデータを共有する。
【００７３】
図１０を参照すると、フローチャートは、例えば医療デバイスであってもよいデバイス１００のような電子デバイスを作動させるプロセスの別の例を示す。最初に、１０００において、電子デバイスは、電力がアクティブでない（すなわち、デバイス１００がオフである）初期非アクティブ状態にあり、電源１０６からの電力がデバイス１００の主回路または他の回路１０４ｃを駆動していない。デバイス１００およびＮＦＣ起動デバイス５００などのＮＦＣ起動デバイスは、１００２において、互いに比較的近接した状態にて配置される。
【００７４】
いくつかの実施形態によれば、ステップ１００２のアクションに応答して、電子デバイスのパワーハーベスティング回路１０４ａ／４０４ａは、起動デバイスと近接状態にすることにより電力供給され、ＩＤ、および／または電子デバイスの他のデータ（メモリ４３０に記憶されたものなど）は、１００４にて、電子デバイス１００によって（例えば、ＮＦＣチップ４０８によって）、ＮＦＣ起動デバイスに自動的に送信される。いくつかの実施形態によれば、ＩＤは、特定の電子デバイス１００を特定して識別し、それを他のすべての電子デバイス１００から区別する固有のＩＤである。いくつかの実施形態によれば、このＩＤまたは識別子は、ＮＦＣトランシーバＩＣ（またはＮＦＣチップ４０８）の製造者などのデバイス１００またはパワーハーベスティング回路１０４ａ／４０４ａの製造者によって不可避的に書き込まれ、デバイス１００を固有に識別する。
【００７５】
いくつかの実施形態によれば、ＮＦＣ起動デバイス５００のような起動デバイスは、任意選択的に、これらの識別子の集合に対応するデータにアクセスすることができ、同識別子の集合は、デバイスが何時製造されたか、デバイスがこれまでに使用されていたかなど、そのデバイス１００のデバイスのタイプなどの追加情報を提供するために使用することができる。そのようなデータは、起動デバイス５００のメモリ５１４に記憶されてもよく、および／または起動５００は、（例えば、無線通信を介して）そのようなデータが記憶されている外部メモリに通信可能に接続されてもよい。
【００７６】
いくつかの実施形態によれば、ＮＦＣ起動デバイスは、受信したＩＤおよび／または他のデータを起動デバイス５００のメモリ５１４に記憶された参照データと比較する。ＩＤおよび／または他のデータが所定の基準または所望の基準を満たす場合、起動デバイス５００は、１００５において、ターンオン信号または起動信号を電子デバイス１００に送信する。１００６において、デバイス１００は、起動信号を受信し、これに応答して、１００４において、例えば、電源１０６からの電力がデバイス１００の電力がデバイス１００の主回路または他の回路１０４ｃを駆動するなど、デバイス１００の電源が起動される。１００７において、デバイス１００は、デバイス１００の電源が正常にオンにされたことを確認または検証するために、起動確認信号を任意選択で起動デバイス５００に送信し得る。
【００７７】
１００８において、ＮＦＣ起動デバイスおよび電子デバイス１００は、ＮＦＣ起動デバイスが電子デバイス１００との近接状態から移動されるとき（またはその逆）のように、互いに対して近接状態から移動され得る。次に１０１０において、電子デバイス１００は、ＮＦＣ起動デバイスの相対的な近接性または遠隔性とは関係なく自立的に動作し続ける。いくつかの実施形態によれば、電子デバイス１００とＮＦＣ起動デバイスを互いに対して近接状態にて配置することによって、または両デバイスがステップ１００８で互いに離れていなかった場合には、１０１２で２つのデバイス間で追加のデータを共有する。
【００７８】
いくつかの実施形態によれば、電子デバイス１００の電源がオンにされている間（すなわち、主回路または他の回路１０４ｃが電源１０６によって電力供給されている間）、デバイス１００は１つまたは複数のテストを実行し、および／または、種々の読取り（例えば、温度、光の読取りなど）を行う、および／または、そうでなければデータを生成し、このデータをパワーハーベスティング回路１０４ａ（４０４ａなど）内の、またはパワーハーベスティング回路１０４ａ（４０４ａなど）に電気的に接続されているメモリ（たとえばメモリ４３０）に記憶し、それにより、メモリは、パワーハーベスティング回路１０４ａによって収穫されたエネルギーによって電力供給され得る。その後、電源１０６が電力を使い切って（例えば、バッテリが消耗して）、電子デバイス１００の電源をもはやオンにすることはできなくなる。いくつかの実施形態によれば、デバイス１００の電源をもはやオンにすることはできなくなる間、ＮＦＣ起動デバイス５００などの起動デバイスを電子デバイス１００と近接状態となるように持ってくると、パワーハーベスティング回路１０４ａ／４０４ａが起動デバイスから電力を収集し、収集された電力を使用して、例えばプロセッサ４２０およびメモリ４３０を含むＮＦＣチップ４０８などのパワーハーベスティング回路１０４ａ／４０４ａに電力を供給する。次に、パワーハーベスティング回路１０４ａ／４０４ａは、メモリ４３０などのパワーハーベスティング回路１０４ａ／４０４ａによって電力供給されたメモリに記憶されたデータの一部または全部を、ＮＦＣ起動デバイス５００などの起動デバイスに送信する。いくつかの実施形態によれば、デバイス１００の主回路または他の回路１０４ｃによって収集または生成されたデータを送信する前に、デバイス１００および起動デバイス５００は認証データを共有して、デバイス１００から特定の起動デバイス５００にデータを送信することが適切であるか、または望ましいかを決定する（例えば、（電子デバイス１００が医療検査デバイスである患者ＩＤデータのような）デバイスＩＤおよび／またはデバイスタイプのデータおよび／またはユーザーデータを送信することによる）。起動デバイスはこの認証データを受信し、それを所定の基準または所望の基準と比較し、および／またはそれが所定の基準または所望の基準を満たしているかを決定する（例えば、起動デバイス５００が、指定されたＩＤを有する電子デバイスからデータを受信することを望んでいる、および／または特定のデバイスタイプ（血糖値測定用医療デバイス、および／またはそれに関連する特定の患者ＩＤコードを有している患者のような特定の患者と関連しているもののような）を有している（例えば、Ｍａｒｙ  Ｊ．Ｓｍｉｔｈは患者ＩＤコードＭＪＳ２２０００１３６２５を有しているなど））。認証データが所望の基準または所定の基準を満たす場合、起動デバイス５００は、デバイス１００の主回路または他の回路１０４ｃおよびパワーハーベスティングチップ１０４ａ／４０４ａ（例えば、ＮＦＣチップ４０８）によって収集され、または生成されるデータについての要求を送信し、デバイス１００の主回路または他の回路１０４ｃによって収集ま���は生成された要求されたデータを起動デバイス５００に送信する。いくつかのそのような実施形態によれば、この最後のアクションは、電子デバイスの電源１０６が切れていて、電子デバイス１００の電源がオンになっていなくても達成される。
【００７９】
いくつかの実施形態によれば、電子デバイスの固有の識別子および／または他のデータは、デバイス１００またはパワーハーベスティング回路１０４ａ、４０４ａの製造時（例えば、ＮＦＣチップ４０８の製造時）に、暗号化され、パワーハーベスティング回路１０４ａ／４０４ａのメモリ（たとえばメモリ４３０）に記憶されてもよい。この暗号化されたデータは、ＮＦＣ起動デバイス５００に送信され、ＮＦＣ起動デバイス５００によって読み取られ、解読され、固有の識別子と比較されて、デバイスの真正性を検証することができる。上述したように、パワーハーベスティング回路１０４ａ／４０４ａのメモリ（例えばメモリ４３０）に記憶された追加のデータまたは情報を使用して、デバイスのタイプ、製造日、較正データなどの他の情報を提供することができる。いくつかの実施形態によれば、この追加の情報を用いて、デバイスを検証し、認証することもできる。
【００８０】
上記の実施形態のいずれかに適用可能なＮＦＣ起動デバイス５００の非限定的な例には、スマートフォン、タブレット、ラップトップ、スレート、電子リーダーまたは他の電子リーダー、またはハンドヘルド式、携帯用、または着用可能なコンピューティングデバイス（Ｘｂｏｘ（登録商標）、Ｗｉｉ（登録商標）、または他のゲームシステムを含む）が含まれる。
【００８１】
図１１Ａおよび図１１Ｂは、リードスイッチパワーハーベスティング回路１１０４ａおよび１１０４ａ’ならびにパワーハーベスティング回路１１０４ａおよび１１０４ａ’とともに動作される図３Ａおよび図３Ｂのスイッチ回路３０４ａおよび３０４ｂの変形例を示す。パワーハーベスティング回路１１０４ａは、図３Ａに関連して上述された、電源Ｖｂａｔｔ＋とスイッチ回路３０４ａのノードＣとの間に接続されたリードスイッチＳ１を含む。パワーハーベスティング回路１１０４ａはまた、リードスイッチＳ１と電源Ｖｂａｔｔ＋との間に接続された抵抗器Ｒ７を備えていてもよい。パワーハーベスティング回路１１０４ａ’は、図３Ｂに関連して上述された、電源Ｖｂａｔｔ＋とスイッチ回路３０４ｂのノードＨとの間に接続されたリードスイッチＳ２を含む。パワーハーベスティング回路１１０４ａ’はまた、リードスイッチＳ２と電源Ｖｂａｔｔ＋との間に接続された抵抗器Ｒ８を備えていてもよい。いくつかの実施形態によれば、磁場によってトリガされるデバイス１００は、ソフトウェアイベント（ユーザが起動デバイス５００上のオンスクリーンボタンに触れるなど）が電磁石を起動してこの磁場を生成するときに起動され得る。
【００８２】
例えば、図３Ａ及び３Ｂに示されるスイッチ回路３０４ａ、３０４ｂに関連して使用される場合、スイッチ回路３０４ａ、３０４ｂはラッチとして機能する。信号がＭ２のゲート（ノードＣ）またはＭ４のゲート（ノードＨ）でハイになると、スイッチ回路３０４ａ、３０４ｂが起動し、バッテリ１０６と測定または主回路１０４ｃの残りとの間の接続を閉じ、また、オン状態でラッチする。したがって、信号がノードＣまたはＨで除去されるとき（磁石がもはやデバイス１００の近くにないときなど）、接続は依然として維持される。いくつかの実施形態によれば、ラッチ状態またはオン状態のスイッチ３０４ａ、３０４ｂの維持は、バッテリ１０６を使用してノードＣまたはノードＨのゲートをハイに保つことによって達成される。いくつかの実施形態によれば、デバイス５００には、メモリ４３０、１１４、または１０４ｄのようなデバイス１００のメモリ内のステータスビットをチェックするラッチがある。
【００８３】
例えば、いくつかの実施形態によれば、デバイス１００を起動デバイス５００と近接状態にすると、デバイス１００内のＮＦＣチップ４０８が起動デバイス５００と通信する。その時点で、ＮＦＣチップ４０８は、固有の識別子などの一部のデータのみを送信し得る。起動デバイス５００上で動作するアプリケーションがデータを読み出すことを決定すると、ＮＦＣ  ＩＣ４２０から送信された追加のデータを読み取ることができる。ハンドセットなどの起動デバイス５００上で動作するアプリケーションが、ＮＦＣ  ＩＣ４２０に、ターンオン信号または起動信号を送信するなどして、デバイス１００の主回路１０４ｃに電力を供給するように命令すると、スイッチ１０４ｂは、バッテリ１０６からの電力をデバイス１００の回路１０４ｃの残りの部分に接続する。
【００８４】
このアイデアを非ＮＦＣ起動に一般化すると、起動デバイス５００は、起動機構に接続された任意のタイプの電子デバイスまたはコンピューティングデバイスとすることができる。例えば、それは、リードスイッチを作動させる電磁石に接続されたコンピュータであってもよい。デバイス１００は、多数の潜在的なソース（例えば、ユーザが起動デバイス５００上のオンスクリーンボタンに触れる、マウスなどで起動デバイス５００のボタンをクリックする、起動デバイス５００上の物理的なボタンを押す、別のコンピュータがインターネットを介して信号を送信する、など）のいずれかから適切な信号（例えば、ターンオン信号または起動信号）を受信する。適切な信号（例えば、ユーザがデバイス５００のタッチスクリーンに触れることに応答して生成される信号、または起動デバイスのマウスボタンをクリックすることに応答して生成される信号）を受信すると、起動デバイス５００は、ターンオン信号または起動信号を送信することによってデバイス１００を起動する。例えば、起動デバイスとして機能するコンピュータは、デバイス１００内のリードスイッチを起動するために電磁石をターンオンする。
【００８５】
動作中、磁石が電子デバイス１００と近接状態にあるとき、磁石によって生成された磁場は、リードスイッチＳ１またはＳ２を閉じて、ノードＣまたはＨに瞬間電圧を加える。次に、スイッチ回路３０４ａおよび３０４ｂは、上述したように電源１０６を主回路または他の回路１０４ｃに接続するために上述したように動作する。同様に、デバイス１００は、磁石がもはやデバイス１００とは近接状態にはなく、リードスイッチＳ１またはＳ２が開いた後でも、オンのままである。
【００８６】
図１４Ａおよび図１４Ｂは、光電子回路１４０４ａおよび１４０４ａ’ならびにパワーハーベスティング回路１４０４ａおよび１４０４ａ’とともに動作される図３Ａおよび図３Ｂのスイッチ回路３０４ａおよび３０４ｂの変形例を示す。パワーハーベスティング回路１４０４ａは、図３Ａに関連して上述された、スイッチ回路３０４ａのノードＣとスイッチ回路３０４ａのノードＥとの間に接続された光電子デバイス１４０４ｂを含む。パワーハーベスティング回路１４０４ａ’は、図３Ｂに関連して上述された、スイッチ回路３０４ｂのノードＨとスイッチ回路３０４ｂのノードＪとの間に接続された光電子デバイス１４０４ｂ’を含む。いくつかの実施形態によれば、光電子デバイス１４０４ｂまたは１４０４ｂ’に衝突した光が、光電効果によってノードＣまたはノードＨで電圧を生成する場合にデバイス１００が起動される。次に、スイッチ回路３０４及び３０４ｂが上記したように動作し、上記したように電源１０６を主回路または他の回路１０４ｃを接続する。同様に、デバイス１００は、デバイス１４０４ｂまたは１４０４ｂ’がもはや光にさらされていない後でさえもオンのままであろう。
【００８７】
図１２を参照すると、いくつかの実施形態によれば、パワーハーベスティング回路１０４ａは、太陽電池１２１０上を照らす光に応答してターンオン信号を生成する太陽電池１２１０などの回路を含む太陽電池チップ１２０８などの受動光電回路１２０４ａである。いくつかの実施形態によれば、太陽電池回路は、太陽電池１２１０およびトランシーバＩＣ１２２０を含む。加えて、いくつかの実施形態によれば、太陽電池回路またはチップは、それ自体の不揮発性メモリ１２３０を有する。いくつかの実施形態によれば、メモリ１２３０は、１つまたは複数のレジスタおよび／または他の不揮発性メモリを備える。他の実施形態によれば、パワーハーベスティング回路１０４ａは、太陽電池上を照らす光から電力またはエネルギーを収穫する太陽電池を含む。その後、パワーハーベスティング回路１０４ａは、例えば図３Ａおよび３Ｂに関連して上述したように、１０４ａ  Ｖｏｕｔ＋で瞬間電圧を誘導し、スイッチ回路３０４ａまたは３０４ｂをトリガして、上述のように電源１０６を主回路または他の回路１０４ｃに接続する。
【００８８】
固有のＩＤおよび／または主回路１０４ｃによって後で生成されるデータを含む他のデータは、メモリ１２３０に記憶されてもよく、デバイス１０は、上述のように、ＮＦＣパワーハーベスティング回路４０４ａを参照して、およびデバイス１００をオンにする前に、そして、データ交換が上記のような所定のまたは所望の基準を満たす場合、デバイス１００を条件付きでオンにする前に、パワーハーベスティング回路１２０４ａと起動デバイス５００との間でデータを交換する能力を参照して、動作する。同様に、電源１０６が枯渇し、デバイス１００がオフ状態になった後であっても、主回路または他の回路１０４ｃからメモリ１２３０に受信されたデータ（例えば、テスト結果または測定結果）は、パワーハーベスティング回路１２０４ａから通信されてもよい。
【００８９】
いくつかの実施形態によれば、図１１および図１２と関連して上記した記載は、電磁スイッチおよび熱スイッチの両方に適用可能である。熱スイッチは、リードスイッチの実施形態で説明した場合と同じように動作するが、磁気ではなく熱によって作動する。例えば、旧式の水銀サーモスタットは、そのような熱スイッチの一例である。いくつかの実施形態によれば、光学的方法は、瞬間電圧を生成するために光電効果に依存してもよく、太陽電池、フォトダイオード、ＬＥＤ、または任意の他の受動光電デバイスを含むことができる。
【００９０】
パワーハーベスティングを介して電力供給され得るメモリを欠いている電磁起動およびパワーハーベスティング回路１０４ａを使用するものなどのいくつかの実施形態によれば、上記のようなメモリ（例えば、メモリ１１４、４３０、１２３０）は、主電源１０６によって供給されてもよい。いずれの場合も、メモリ（例えば、メモリ１１４、４３０、１２３０）は、回路１０４ｃの残りの部分に任意選択的に接続されてもよい（それにより、例えば、主回路または他の回路１０４ｃによって生成または収集されるデータは、ＮＦＣチップ４０８またはいくつかの他の方法のいずれかを介して、後で検索するためにこのようなメモリに記憶されていてもよい）。
【００９１】
図１３は、いくつかの実施形態によるデバイス１００上の回路１０４’のブロック図である。回路１０４’は、上述の回路１０４と同様であり、回路の少なくとも３つのセクションを含む。セクション１０４ａは外部パワーハーベスティング回路である。セクション１０４ｂはスイッチ回路を含む。セクション１０４ｃは、デバイス１００の主な動作回路と考えられる、例えばメモリ、マイクロプロセッサ、および／またはテストセンサなどのデバイス１００上の他の回路を含む。さらに、メモリ１０４ｄは、パワーハーベスティング回路１０４ａおよび／または主回路または他の回路１０４ｃに通信可能に接続される。図３Ａおよび図３Ｂを参照してより詳細に説明したように、スイッチ回路１０４ｂは、電源１０６が他の回路または主回路１０４ｃに電力を供給することを許可または回避することによってデバイス１００のターンオンを制御する。いくつかの実施形態によれば、回路１０４ａ、１０４ｂ、および／または１０４ｃの一部または全部は、ソリッドステート回路である。回路１０４ａは、上述のように起動信号を検出するための回路を含む。例えば、上述したように、このような検出は、アンテナおよびＮＦＣトランシーバＩＣを含むＮＦＣ回路によって実行することができる。いくつかの実施形態によれば、回路１０４ａは、代替的または追加的に、光センサ、磁気スイッチ、または他のタイプの提案されたセンサのいずれかを備える。いくつかの実施形態によれば、メモリ１０４ｄは、パワーハーベスティング回路１０４ａまたは主回路１０４ｃの一部であってもよく、例えば、メモリ１０４ｄは、ＮＦＣチップ４０８のメモリ４３０、または主回路によってアクセスされ得るおよび／または主回路１０４ｃからのデータを受信するメモリ１２３０であってもよい。いくつかの実施形態によれば、メモリ１０４ｄは、スイッチ回路１０４ｂがオフであり、主回路１０４ｃがオンでないときに、起動デバイス５００などの起動デバイスによってアクセスすることもできる。本開示の特定の実装形態および適用例を図示および説明してきたが、本開示は、本明細書に開示される詳細な構造および組成に限定されず、様々な修正、変更、および変形が、添付の特許請求の範囲に定義された本発明の範囲から逸脱することなく上述の記載から明らかとなるであろう。
【図１】
2017538351.tif 000003
【図２】
2017538351.tif 000004
【図３Ａ】
2017538351.tif 000005
【図３Ｂ】
2017538351.tif 000006
【図４】
2017538351.tif 000007
【図５】
2017538351.tif 000008
【図６Ａ−６Ｄ】
2017538351.tif 000009
【図７Ａ−７Ｅ】
2017538351.tif 000010
【図８】
2017538351.tif 000011
【図９】
2017538351.tif 000012
【図１０】
2017538351.tif 000013
【図１１Ａ】
2017538351.tif 000014
【図１１Ｂ】
2017538351.tif 000015
【図１２】
2017538351.tif 000016
【図１３】
2017538351.tif 000017
【図１４Ａ】
2017538351.tif 000018
【図１４Ｂ】
2017538351.tif 000019
【手続補正書】
【提出日】平成28年9月19日(2016.9.19)
【手続補正１】
【補正対象書類名】特許請求の範囲
【補正対象項目名】全文
【補正方法】変更
【補正の内容】
【特許請求の範囲】
【請求項１】
ポイントオブケア医療電子装置であって、
ハウジングと、
前記ハウジング内に配置されるとともに前記ポイントオブケア医療電子装置に電力を供給するための電流を供給するように構成されている電源と、
前記ハウジング内に配置されるとともに前記電源からの電流を選択的に受承することができるように前記電源に接続されているソリッドステート回路と、を含み、
前記ソリッドステート回路は：
前記電流が前記ソリッドステート回路を通って流れることが回避される非アクティブ状態であって、前記ポイントオブケア医療電子装置のオフモードに対応する非アクティブ状態と、
前記電流が前記ソリッドステート回路を通って流れることを許容するアクティブ状態であって、前記ポイントオブケア医療電子装置のオンモードに対応するアクティブ状態と、
を有し、
前記アクティブ状態は、前記ポイントオブケア医療電子装置と近接状態にある外部に生成された瞬間的な電磁放射線によってトリガされ、かつ前記外部に生成された瞬間的な電磁放射線が前記ポイントオブケア医療電子装置とはもはや近接状態にはない後においてもアクティブのままである、ポイントオブケア医療電子装置。
【請求項２】
前記外部に生成された瞬間的な電磁放射線により前記ポイントオブケア医療電子装置内に瞬間電圧が生成され、前記アクティブ状態は、前記瞬間電圧によりトリガされる、請求項１に記載の装置。
【請求項３】
医療のための装置であって、前記装置は、
前記ポイントオブケア医療電子装置に電力を供給するための電流を供給するように構成されている電源と、
ソリッドステート回路と、
スイッチ回路と、
前記スイッチ回路が前記電源から前記ソリッドステート回路を通って電流を流すことを回避する非アクティブ状態であって、前記装置のオフモードに対応する非アクティブ状態と、
前記スイッチ回路が前記電源から前記ソリッドステート回路を通って電流を流すことを許容するアクティブ状態であって、前記装置のオンモードに対応し、前記装置と近接状態にある外部に生成された瞬間的な電磁放射線によってトリガされるアクティブ状態と、
を含む装置。
【請求項４】
前記装置は、前記外部に生成された瞬間的な電磁放射線が前記装置とはもはや近接状態にない後においてさえもアクティブ状態のままである請求項３に記載の装置。
【請求項５】
前記外部に生成された瞬間的な電磁放射線により前記装置の前記スイッチ回路のノードにて瞬間電圧が生成され、前記アクティブ状態は、前記スイッチ回路の前記ノードでの瞬間電圧の存在によってトリガされる、請求項３に記載の装置。
【請求項６】
前記外部に生成された瞬間的な電磁放射線は、近距離無線通信（ＮＦＣ）デバイスによって前記装置に誘導される、請求項１または３に記載の装置。
【請求項７】
前記近距離無線通信（ＮＦＣ）デバイスは携帯用端末である、請求項６に記載の装置。
【請求項８】
前記携帯用端末は、携帯電話、スマートフォン、パーソナルデジタルアシスタント（ＰＤＡ）及びタブレットからなる群より選択されるハンドヘルド式デバイスである、請求項７に記載の装置。
【請求項９】
前記装置は、ＮＦＣ回路及びスイッチ回路をさらに含み、
前記ＮＦＣ回路は、ＮＦＣ起動回路のＮＦＣ信号と近接状態にあることに応答して信号を生成し、前記信号が前記スイッチ回路に瞬間電圧を誘導し、
前記スイッチ回路における前記瞬間電圧の存在に応答して、前記スイッチ回路は、前記電源から前記ソリッドステート回路を通って電流が流れることを許容する、請求項６に記載の装置。
【請求項１０】
前記電源はバッテリである、請求項１に記載の装置。
【請求項１１】
前記装置は、固有識別子（ＩＤ）を有するポイントオブケアデバイスであり、前記ソリッドステート回路は、前記ＩＤを示すデータ信号を出力する、請求項１に記載の装置。
【請求項１２】
前記アクティブ状態において、前記ソリッドステート回路は、較正データ、測定データおよび識別データからなる群より選択されるデータを示す１つ以上の出力信号を生成する、請求項１に記載の装置。
【請求項１３】
前記アクティブ状態において、前記ソリッドステート回路は、測定データを示す１つ以上の出力信号を生成し、
前記測定データは、ヒト免疫不全ウイルス（ＨＩＶ）状態、マラリア状態、栄養状態、神経障害状態、心筋梗塞状態、および／または水分状態の１つ以上についての生物学的診断を含む、請求項１２に記載の装置。
【請求項１４】
前記瞬間電圧は、前記ソリッドステート回路が携帯用端末と近接状態に配置されたときに受承され、前記近接状態は約４センチメートル以下の距離にある状態である、請求項１に記載の装置。
【請求項１５】
最初は非アクティブ状態で存在する別個のポイントオブケア医療電子デバイスを起動させるための方法であって、前記方法は、
外部の近距離無線通信（ＮＦＣ）起動デバイスからの瞬間電圧を受承することに応答して、前記別個のポイントオブケア医療電子デバイスをアクティブ状態にするために同別個のポイントオブケア医療電子デバイスの電源を起動することであって、前記電源は前記瞬間電圧の除去とは関係なくアクティブのままである、起動することと、
前記電源の起動に応答して、前記別個のポイントオブケア医療電子デバイスが前記アクティブ状態にされていることを確認するために使用される確認信号を自動的に出力することと、
を含む、方法。
【請求項１６】
前記別個のポイントオブケア医療電子デバイスが、同電子デバイスの固有識別子（ＩＤ）を送信することをさらに含む、請求項１５に記載の方法。
【請求項１７】
較正データ、測定データおよび識別データからなる群より選択されるデータを示す１つ以上の出力信号を、前記別個のポイントオブケア医療電子デバイスを介して出力することをさらに含む、請求項１５または１６に記載の方法。
【請求項１８】
前記別個のポイントオブケア医療電子デバイスが、ヒト免疫不全ウイルス（ＨＩＶ）状態、マラリア状態、栄養状態、神経障害状態、心筋梗塞状態、および水分状態の１つ以上についての生物学的診断を測定することをさらに含む、請求項１７に記載の方法。
【請求項１９】
医療用システムであって、前記医療用システムは、
ハウジング内に封入されるバッテリと回路とを有するポイントオブケア医療デバイスであって、前記ポイントオブケア医療デバイスは、最初は、前記バッテリからの電力が前記回路を通って流れることを回避される非アクティブなオフ状態である、ポイントオブケア医療デバイスと、
前記ポイントオブケア医療デバイスとの近接状態にて通信信号を出力する近距離無線通信（ＮＦＣ）起動デバイスと、を含み
前記通信信号は、前記バッテリからの電力が前記回路を通って流れることを許容する前記ポイントオブケア医療デバイスのアクティブなオン状態を開始し、前記ポイントオブケア医療デバイスのアクティブなオン状態は、前記ＮＦＣ起動デバイスがその後、前記ポイントオブケア医療デバイスとの近接状態を維持しているかどうかに関わらず、維持される、医療用システム。
【請求項２０】
前記ポイントオブケア医療デバイスは、同ポイントオブケア医療デバイスのアクティブなオン状態が開始される前に、前記起動デバイスに自動的に送信される固有識別子（ＩＤ）を有する、請求項１９に記載の医療用システム。
【請求項２１】
前記ＮＦＣ起動デバイスは、携帯電話、スマートフォン、パーソナルデジタルアシスタント（ＰＤＡ）及びタブレットからなる群より選択されるハンドヘルド式デバイスである、請求項１９に記載の医療用システム。
【請求項２２】
前記ポイントオブケア医療デバイス及び前記ＮＦＣ起動デバイスは、較正データ、測定データおよび識別データからなる群より選択されるデータを通信するように構成される、請求項１９または２０に記載の医療用システム。
【請求項２３】
前記ポイントオブケア医療デバイス及び前記ＮＦＣ起動デバイスは、測定データを通信するように構成されており、
前記測定データは、ヒト免疫不全ウイルス（ＨＩＶ）状態、マラリア状態、栄養状態、神経障害状態、心筋梗塞状態、および水分状態の１つ以上についての生物学的診断を含む、請求項２０に記載の医療用システム。
【請求項２４】
前記通信された測定データは、前記ＮＦＣ起動デバイス及び外部保存施設の１つ以上に記憶される、請求項２３に記載の医療用システム。
【請求項２５】
前記ソリッドステート回路は、前記オンモードにてラッチするように構成されている請求項１に記載の装置。
【請求項２６】
前記ソリッドステート回路は少なくとも１つのトランジスタを含み、前記少なくとも１つのトランジスタは前記オンモードにて前記ソリッドステート回路でラッチする、請求項２５に記載の装置。
【請求項２７】
前記少なくとも１つのトランジスタは、前記電源からの電力に基づいて少なくとも部分的にラッチされる、請求項２６に記載の装置。
【請求項２８】
前記ポイントオブケア医療装置は、別個のデバイスである、請求項１に記載の装置。
【請求項２９】
前記ポイントオブケア医療電子装置の前記オンモードは、１つ以上のポイントオブケア診断テストを実施することに対応する、請求項１に記載の装置。
【請求項３０】
前記ソリッドステート回路は、前記ポイントオブケア医療電子装置を通って電流が流れることを許容するべく、前記電源との電気的接続を完成するように構成された第１のトランジスタを含む、請求項１に記載の装置。
【請求項３１】
前記第１のトランジスタのソースは第１のノードに接続されており、第１の抵抗器の第１の端部は、前記第１のノードに接続されている、請求項３０に記載の装置。
【請求項３２】
前記電源は、前記第１のノードに直接接続されている、請求項３１に記載の装置。
【請求項３３】
前記第１のトランジスタのゲート及び前記第１の抵抗器の第２の端部は第２のノードに接続されている、請求項３２に記載の装置。
【請求項３４】
前記ソリッドステート回路は、第２のトランジスタ、第２の抵抗器及び第３の抵抗器をさらに含み、前記第２の抵抗器は、第３のノードと、第４のノードの前記第１のトランジスタのドレインとの間に接続されており、前記第２のトランジスタのゲートは前記第３のノードに接続されており、前記第２のトランジスタの前記ドレインは前記第２のノードにて前記第１のトランジスタの前記ゲートに接続されており、前記第２のトランジスタのソースは、第５のノードにて接続されており、前記第３の抵抗器は、前記第３のノードと前記第５のノードとの間に接続されている、請求項３３に記載の装置。
【請求項３５】
前記別個のポイントオブケア医療電子デバイスの電源を起動する前に、
同別個のポイントオブケア医療電子デバイスの識別情報を前記ＮＦＣ起動デバイスに提供することと、
前記識別情報に基づいて前記瞬間電圧を印加するかどうかを決定することと、
をさらに含む請求項１５に記載の方法。
【請求項３６】
前記識別情報は、前記別個のポイントオブケア医療電子デバイスのタイプ、前記別個のポイントオブケア医療電子デバイスの電力状況またはその組み合わせを識別する、請求項３５に記載の方法。
【請求項３７】
前記別個のポイントオブケア医療電子デバイスの前記識別情報を前記ＮＦＣ起動デバイスのメモリ内に記憶された患者記録とリンクさせることをさらに含む、請求項３５に記載の方法。
【国際調査報告】
2017538351.tif 000020
2017538351.tif 000021
2017538351.tif 000022